(57)【要約】【課題】文字情報等を容易に利用できるマイクロフォン２の提供。【解決手段】このマイクロフォン２は、本体２１と、この本体２１に取り付けられた小型ディスプレイ２２と、この小型ディスプレイ２２に電気的に接続された受信器２３とを備えており、この受信器２３が、外部から伝送されてきた文字情報信号を受信し、上記小型ディスプレイ２２この文字情報を表示するように構成されており、上記小型ディスプレイ２２は、その表示面２２ａの向きが変更可能となるように、上記本体２１に取り付けられている。【選択図】図２
0003163099.tif 000002
【実用新案登録請求の範囲】
【請求項１】
マイクロフォン本体と、
このマイクロフォン本体に取り付けられた表示パネルと、
この表示パネルに電気的に接続された受信器とを備えており、
この受信器が、外部から伝送されてきた文字情報信号を受信し、上記表示パネルがこの文字情報を表示するように構成されている、マイクロフォン。
【請求項２】
上記表示パネルが、その表示面の向きが変更可能となるように、上記マイクロフォン本体に取り付けられている請求項１に記載のマイクロフォン。
【請求項３】
上記マイクロフォン本体に取り付けられた、記憶手段の読み取り器を備えており、
上記表示パネルが、読み取り器によって読み取られた情報を表示するように構成されている請求項１又は２に記載のマイクロフォン。
【考案の詳細な説明】
【技術分野】
【０００１】
本考案は、マイクロフォンに関する。さらに詳しくは、例えば、カラオケシステム等に付帯して用いられうるマイクロフォン、大画面に映し出された資料に基づいて講演を行う際に用いられうるマイクロフォン等の各種マイクロフォンに関する。
【背景技術】
【０００２】
従来のカラオケシステムは、一般的に、使用者が、スピーカーから発せられる伴奏に合わせて、マイクロフォンを通して歌うことができるように構成されている。スピーカーからは、伴奏音と使用者の歌声とが同時に音声出力される。このカラオケシステムでは、使用者は、モニタテレビに映し出された歌詞や画像を見ながら歌う。この歌詞や画像の内容は、スピーカーから発せられる伴奏と同期して進行する。このようなカラオケシステムの例は、特開平１０−１０５１８１号公報等において開示されている。
【０００３】
このような従来のカラオケシステムでは、歌詞をしっかりと記憶していない使用者は、常にモニタテレビを注視しながら歌う必要がある。上記モニタテレビは、一般的に、天井から垂下されていたり、壁面やテーブル上に固定されていたりする。使用者は、必ず、視界にモニタテレビの画面が入る範囲にしか移動することができない。他人の頭等によって使用者の視界からモニタテレビの画面が遮られる場合もある。また、視力の低い使用者は、テレビモニタに映し出された歌詞を読み取りにくい場合がある。
【０００４】
資料に基づいて講演を行う者は、大型表示パネルに資料の内容を表示して、マイクロフォンを通して聴衆に説明を行うことがある。このような場合、大型表示パネルを背にして聴衆に向かってスピーチする際には不便を感じることがある。資料の印刷物を講演台上に置いておいてもよいが、瞬時に適切な頁をめくることが難しいこともある。
【先行技術文献】
【特許文献】
【０００５】
【特許文献１】特開平１０−１０５１８１号公報
【考案の概要】
【考案が解決しようとする課題】
【０００６】
本考案の目的は、上記課題を解決するためになされたものであり、マイクロフォンを使用している最中に、必要とする文字や画像の情報を容易に得ることができるマイクロフォンを提供することである。
【課題を解決するための手段】
【０００７】
本考案に係るマイクロフォンは、
マイクロフォン本体と、
このマイクロフォン本体に取り付けられた表示パネルと、
この表示パネルに電気的に接続された受信器とを備えており、
この受信器が、外部から伝送されてきた文字情報信号を受信し、上記表示パネルがこの文字情報を表示するように構成されている。
【０００８】
かかる構成によれば、本願考案のマイクロフォンは、外部から送られてくる文字情報を、その表示パネルに表示することができる。この文字情報には、カラオケ機器から送られてくる歌の歌詞等も含まれる。従って、このマイクロフォンを手に持った使用者は、このような文字情報を間近で見ることができる。姿勢や顔の向きを変えても、容易に表示パネル上の文字情報を視認することができる。なお、上記「受信器」とは、伝送された信号を受け、指示等をする機器であり、「伝送」には無線はもとより有線によるものも含む。
【０００９】
上記表示パネルは、その表示面の向きが変更可能となるように、上記マイクロフォン本体に取り付けられているのが好ましい。
【００１０】
上記マイクロフォン本体に取り付けられた記憶手段の読み取り器を備え、上記表示パネルが、この読み取り器によって読み取られた情報を表示する構成も採用されうる。
【考案の効果】
【００１１】
本考案に係るマイクロフォンによれば、これを手に持って使用しておれば、必要な文字情報を間近で視認することができる。このマイクロフォンは、カラオケシステムを利用したり、資料に基づいた講演を行う際に有用である。
【図面の簡単な説明】
【００１２】
【図１】図１は本考案に係るマイクロフォンが使用されているカラオケシステムの一例を示すブロック図である。
【図２】図２は図１におけるマイクロフォンの一実施形態を示す斜視図である。
【図３】図３は図１におけるマイクロフォンの他の実施形態の一部を示す斜視図である。
【図４】図４は図１におけるマイクロフォンのさらに他の実施形態を示す斜視図である。
【考案を実施するための形態】
【００１３】
以下、適宜図面が参照されつつ、好ましい実施形態に基づいて本考案が詳細に説明される。
【００１４】
図１に示されたカラオケシステム１は、マイクロフォン２と、ディスク再生機３と、ＣＰＵ４と、リモコン送信器５と、第一受信部６と、メニュープロジェクタ７と、音声再生部８と、ミキシングアンプ９と、スピーカ１０と、画像文字情報生成部１１と、動画再生部１２と、画像合成部１３と、ディスプレイパネル１４と、送信部１５と、第二受信部１６とを備えている。本実施形態では、上記ＣＰＵ４、第一受信部６、メニュープロジェクタ７、音声再生部８、ミキシングアンプ９、画像文字情報生成部１１、動画再生部１２、画像合成部１３、送信部１５及び第二受信部１６がカラオケ機１７を構成し、その他は外部機器である。
【００１５】
上記マイクロフォン２は、マイクロフォン本体（以下、単にマイク本体という）２１と、小型ディスプレイ２２と、受信器２３と、バッテリ２４とを備えている。受信器２３は、上記カラオケシステム１の送信部１５から送信される歌詞等の文字情報及び背景画等の静止画情報を受信する。マイク本体２１からの音声出力を上記カラオケシステム１の第二受信部１６に送信するための図示しない送信器はマイク本体２１に内蔵されている。小型ディスプレイ２２は、液晶パネル等から構成されており、受信した歌詞や背景画等を表示する。バッテリ２４は、マイク本体２１の音声出力の他、文字及び画像の受信、及び、小型ディスプレイ２２における文字及び画像の表示のための電力を供給するためのものである。
【００１６】
使用者は、メニュープロジェクタ７に表示される曲名等のメニューを確認しながら、リモコン送信器５によって演奏曲等を選択、指定する。カラオケ機１７は、この選択、指定信号を第一受信部６によって受け入れ、この信号をシステムコントローラであるＣＰＵ４に送る。ＣＰＵ４は、この信号に基づいて上記ディスク再生機３に指示を送る。ディスク再生機３は、曲データ収納ディスクから、使用者に選択された曲を読み取り、その情報をカラオケ機１７のＣＰＵ４に送る。ディスク再生機３に代えて、ディスク再生機３の機能を有するホストコンピュータを採用し、このホストコンピュータと、複数のカラオケ機１７とを通信回線等で接続してもよい。
【００１７】
上記ＣＰＵ４では、上記情報に含まれる画像データ、文字情報、音声データ等を分離して出力する。音声データは、音声再生部８において再生される。ミキシングアンプ９において、この音声と、マイクロフォン２を通してカラオケ機１７に送られた使用者の音声とが合成され、スピーカ１０から出力される。歌詞等の文字情報、及び、歌詞等の背景として映し出される背景画等の静止画情報は、画像文字情報生成部１１において、歌詞等及び背景画等に生成される。また、歌詞のストーリー性等を表現するために映し出される動画情報は、動画再生部１２において動画として再生される。上記文字、静止画情報及び動画情報は、画像合成部１３において合成され、ディスプレイパネル１４において映像として表示される。
【００１８】
画像文字情報生成部１１から画像合成部１３に送られる歌詞等及び背景画等は、並行して上記マイクロフォン２の受信器２３に送信される。受信器２３に受信された歌詞や背景画等は、小型ディスプレイ２２に送られて表示される。これは、前述したとおりである。画像文字情報生成部１１からマイクロフォン２の受信器２３に送られる信号は、静止画像及び文字の組み合わせに限定されず、文字だけでもよい。又は、画像合成部１３において合成された後の歌詞等、背景画等及び動画が受信器２３に送られてもよい。
【００１９】
図２には、上記マイクロフォン２の一形態が示されている。このマイクロフォン２は、携帯用のいわゆるムービングコイルマイク（ダイナミックマイクとも呼ばれる）であるが、かかるタイプには限定されない。マイク本体２１は、棒状のボディ２１ａと、ボディ２１ａの先端に形成されたマイクヘッド２１ｂとを有している。このマイクロフォン２がワイヤレスの場合には、ボディ２１ａの内部に上記したバッテリ２４が収容されている。プラグインパワータイプの場合にはこのバッテリ２４は不要となる。
【００２０】
本実施形態では、小型ディスプレイ２２は、その表示面２２ａの向きが変更可能となるように、上記ボディ２１ａに取り付けられている。本実施形態では、この取り付け機構として、ボール部（雄部）２５ａと受け部（雌部）２５ｂとからなるボールジョイント２５が採用されている。従って、表示面２２ａをあらゆる方向に向けることができる。上記ボール部２５ａを貫通して、バッテリ２４から受信器２３へは図示しない給電線が接続されている。
【００２１】
本実施形態におけるボールジョイント２５では、ボディ２１ａの外周に嵌着して固定される短管状のクランプ２６に、上記受け部２５ｂが設けられている。クランプ２６は、ボディ２１ａ上の、ヘッド２１ｂに近接した部位に取り付けられている。小型ディスプレイ２２に上記ボール部２５ａが設けられている。しかし、受け部２５ｂとボール部２５ａとの設置部位が逆であってもよい。本実施形態では、クランプ２６の内周面には導電端子（図３の符号３２参照）が形成されている。この端子３２からクランプ２６内及びボールジョイント２５内を通って給電線が受信器２３等に接続されている。一方、この端子３２に対向するボディ２１ａには、弾力的に突出した導電端子（図示しない）が設けられている。このボディ２１ａ側の端子は、外力によってボディ２１ａ内に埋没しうる。クランプ２６をボディ２１ａの所定部位に管着したとき、両端子が接触して導通し、ボディ２１ａ内のバッテリ２４から小型ディスプレイ２２及び受信器２３に給電される。マイク本体２１に設けられたオンオフスイッチ３３は、マイクの機能のオンオフのみならず、小型ディスプレイ２２及び受信器２３の機能のオンオフを司るものであってもよい。
【００２２】
本実施形態では、クランプ２６を介して小型ディスプレイ２２及び受信器２３がボディ２１ａに装着されるが、かかる構成に限定はされない。例えば、ボディ２１ａに直接に上記ボールジョイント２５が設けられ、これに小型ディスプレイ２２及び受信器２３が一体で接続されてもよい。この場合、バッテリ２４から小型ディスプレイ２２及び受信器２３には給電線を通して給電されるので、上記端子は不要である。
【００２３】
このボールジョイント２５は、ボール部２５ａと受け部２５ｂとの摺動摩擦係数が大きくされているため、止めねじを要することなく、小型ディスプレイ２２の任意の姿勢が維持されうる。従って、小型ディスプレイ２２が、使用者の所望の姿勢に調節されうる。図２においては、この小型ディスプレイ２２は、その表示面２２ａがボディ２１ａの長手方向に直交する姿勢にされている。
【００２４】
上記小型ディスプレイ２２の背面（表示面を表面としたときの裏面）側に、上記受信器２３が内蔵されている。もちろん、受信器２３の取付部位は上記には限定されない。使用者が小型ディスプレイ２２の表示面２２ａを見る上での障害にならなければよく、使用者がマイクロフォン２のボディ２１ａを握る上での障害にならなければよい。この受信器２３は、とくにマイク本体２１に固定されることにも限定されない。例えば、受信器２３が、上記小型ディスプレイ２２とワイヤ等で電気的に接続した状態で、使用者の衣服、ベルト等に取り付けられてもよい。
【００２５】
図２に示されるように、小型ディスプレイ２２及び受信器２３と一体に、記憶手段２７に記憶された情報の読み取り機２８が並設されてもよい。記憶手段としては、例えばＳＤ規格等のメモリーカードでもよい。以下、各種の記憶手段をメモリーカードに代表させる。図２中、符号２９はメモリーカード２７の挿入用スロットである。このメモリーカード２７には、例えば、講演用の資料やカラオケ用の歌詞が記憶される。この読み取り機２８には、小型ディスプレイ２２の画面スクロール用のボタン３０が設けられている。
【００２６】
前述したように、本実施形態では小型ディスプレイ２２のマイク本体２１への取り付け機構としてボールジョイント２５が採用されている。しかし、ボールジョイントには限定されない。例えば、図３に示すような、いわゆる蝶番３１が採用されてもよい。この場合は、蝶番３１を、その回動中心軸（軸部３１ａ）がボディ２１ａの長手方向に直交するように配置する。そうすると、小型ディスプレイ２２は、その表示面２２ａの向きがボディ２１ａの長手方向の軸を含む面内に揺動するように構成されうる。この蝶番３１では、その軸部３１ａと受け筒部３１ｂとの摺動摩擦係数が大きくされているため、止めねじを要することなく、小型ディスプレイ２２の所定姿勢が維持されうる。図３に示されるように、クランプ２６の内面には、前述した端子３２が形成されている。図３では、メモリーカード２７の挿入用スロット２９及び画面スクロール用のボタン３０の図示が省略されている。
【００２７】
以上の実施形態では、マイクロフォンの小型ディスプレイに表示される対象として、カラオケの演奏曲の歌詞が例示されている。しかし、演奏曲の歌詞には限定されない。例えば、テレビカメラ等の撮像機と送信器との組み合わせから送信される画像データが表示されてもよい。このときのテレビカメラは、例えば講演内容や各種資料等が記載された台紙を撮影している。
【００２８】
図４には、他のマイクロフォン４１が示されている。このマイクロフォン４１は、小型ディスプレイ２２及び受信器２３（以下、これらを纏めて小型ディスプレイ２２という）が、マイク本体４２の後端近傍に取り付けられている。この小型ディスプレイ２２は、図２及び図３に示される小型ディスプレイ２２と同じものである。図４では、バッテリの図示が省略されている。
【００２９】
本実施形態では、小型ディスプレイ２２の取り付け機構として、蟻臍（雄部）４３ａと蟻溝（雌部）４３ｂとからなる接続機構４３が採用されている。蟻臍４３ａ及び蟻溝４３ｂのうちの一方には、小型ディスプレイ２２の不用意な抜け落ちを防止するために、図示しないストッパが形成されている。図示のごとく、蟻溝４３ｂは、マイク本体２１の後端近傍と前端近傍の二カ所に形成されている。使用者は、好みに応じていずれかの取付位置を選択することができる。蟻臍４３ａ及び蟻溝４３ｂの一方に導電端子（図示せず）が形成されている。一方、この端子に対向する他方には、弾力的に突出した導電端子（図示しない）が設けられている。一方の端子は、外力によって取付部の内部に埋没しうる。又は、これらの端子を用いずに、マイク本体４２内のバッテリから外部の給電線を小型ディスプレイ２２に接続してもよい。
【００３０】
図４に示されるように、小型ディスプレイ２２に表示される画像は、カラオケ機１７の送信部１５、テレビカメラ等の撮像機の送信器等において、１８０°転換させられうる。画像が１８０°転換させられた上で、使用者はマイクロフォン４１をマイク本体４２の中心軸回りに１８０°回転（矢印Ａ）させて使用する。図４を、上下逆さまの状態から正規の状態に回転させて見ると理解しやすい。その結果、使用者がそのマイクロフォン４１を手に持った状態では、小型ディスプレイ２２は、マイク本体４２における、使用者側に位置することになる。この場合、使用者の前方にいる聴衆等は、小型ディスプレイ２２の存在に気づかないか、又は、気になりにくい。マイクロフォン２、４１が、画像を任意角度に旋回させうるシステムに適用される場合、使用者は、マイクロフォンをマイク本体２１、４２の中心軸回りに対応する角度だけ回転させて使用することができる。換言すれば、使用者は、小型ディスプレイ２２を、マイク本体２１、４２の中心軸回りの如何なる位置においても使用することができる。
【産業上の利用可能性】
【００３１】
以上説明されたマイクロフォンは、カラオケ、講演等において、歌詞、資料等を参照しながら使用される場合に有用である。
【符号の説明】
【００３２】
１・・・カラオケシステム
２・・・マイクロフォン
３・・・ディスク再生機
４・・・ＣＰＵ
５・・・リモコン送信器
６・・・第一受信部
７・・・メニュープロジェクタ
８・・・音声再生部
９・・・ミキシングアンプ
１０・・・スピーカ
１１・・・画像文字情報生成部
１２・・・動画再生部
１３・・・画像合成部
１４・・・ディスプレイパネル
１５・・・送信部
１６・・・第二受信部
１７・・・カラオケ機
２１・・・マイク本体
２２・・・小型ディスプレイ
２３・・・受信器
２４・・・バッテリ
２５・・・ボールジョイント
２６・・・クランプ
２７・・・メモリーカード
２８・・・読み取り機
２９・・・メモリーカード挿入用スロット
３０・・・画面スクロール用ボタン
３１・・・蝶番
３２・・・端子
３３・・・オンオフスイッチ
４１・・・マイクロフォン
４２・・・マイク本体
４３・・・接続機構
【図１】
0003163099.tif 000003
【図２】
0003163099.tif 000004
【図３】
0003163099.tif 000005
【図４】
0003163099.tif 000006